(57)【要約】【課題】  光学系の光軸の傾角調整やフォーカス調整を行うために用いる頭付きねじやばね体の必要数を削減する。頭付きねじとねじ孔との噛合い箇所のクリアランスに起因するがたつきを無くする。【解決手段】  ターンテーブル６１の回転駆動源としてのモータ６０を設置したプレート５０と、シャーシ１０に取り付けられた光ピックアップ２０と、シャーシ１０にプレート５０を支持させるプレート支持手段とを有する。プレート支持手段が、位置決め機構７１と、第１頭付きねじ７６及び第２頭付きねじ７７を備える調整ねじ機構７５と、単一のねじりコイルばね８２でなる付勢機構８１と、がたつき防止機構９１とを有する。がたつき防止機構９１のねじ体９２をシャーシ１０のねじ孔１５にねじ込み、そのねじ体９２でプレート５０を突き上げる。【選択図】        図５
2007184056.tif 000002
【特許請求の範囲】
【請求項１】
ディスクが配備されるターンテーブルの回転駆動源としてのモータが設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾角及び高さを増減調節するための傾角高さ調節機能を有する光学ディスク装置において、
上記シャーシに樹脂成形体が用いられ、上記プレートに板金が用いられ、
上記プレート支持手段が、
突起と孔部とを備え、その孔部に上記突起が嵌まり込むことによって上記シャーシとプレートとを水平で互いに直交する第１及び第２の２軸の方向で位置決めするための位置決め機構と、
複数箇所で上記シャーシのねじ挿通孔に挿通されて上記プレートのねじ孔にねじ込まれた複数個の頭付きねじを備える調整ねじ機構と、
上記プレートとシャーシとの相互間に介在されて上記プレートを上記シャーシから遠ざかる第３軸の方向に弾発付勢することによりそのプレートをそれぞれの上記頭付きねじの頭部に係止させる単一のばね体でなる付勢機構と、
上記シャーシのねじ孔にねじ込まれて上記プレートに突き当てられることによりそのプレートの突当り箇所を当該ねじ孔から遠ざかる方向に押し付けるねじ体を備えるがたつき防止機構と、を有し、
上記がたつき防止機構のねじ体が、上記調整ねじ機構の頭付きねじの近傍箇所でその頭付きねじと平行に配備されていることによって上記プレートが上記シャーシから遠ざかる方向に押し付けられ、
上記付勢機構のばね体がねじりコイルばねでなり、そのねじりコイルばねの軸線周りの付勢作用が、上記位置決め機構の互いに嵌まり合っている突起と孔部とのがたつきを解消することに利用されていることを特徴とする光学ディスク装置。
【請求項２】
ディスクが配備されるターンテーブルの回転駆動源としてのモータが設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾き及び高さを増減調節するための傾角高さ調節機能を有する光学ディスク装置において、
上記プレート支持手段が、
突起と孔部とを備えてその孔部に上記突起が嵌まり込むことによって、上記シャーシとプレートとを水平で互いに直交する第１及び第２の２軸の方向で位置決めするための位置決め機構と、
複数箇所で上記シャーシのねじ挿通孔に挿通されて上記プレートのねじ孔にねじ込まれた複数個の頭付きねじを備える調整ねじ機構と、
上記プレートとシャーシとの相互間に介在されて上記プレートを上記シャーシから遠ざかる第３軸の方向に弾発付勢することによりそのプレートをそれぞれの上記頭付きねじの頭部に係止させる単一のばね体でなる付勢機構と、
上記シャーシのねじ孔にねじ込まれて上記プレートに突き当てられることによりそのプレートの突当り箇所を当該ねじ孔から遠ざかる方向に押し付けるねじ体を備えるがたつき防止機構と、
を有することを特徴とする光学ディスク装置。
【請求項３】
上記がたつき防止機構のねじ体が、上記調整ねじ機構の頭付きねじの近傍箇所でその頭付きねじと平行に配備されている請求項２に記載した光学ディスク装置。
【請求項４】
上記がたつき防止機構のねじ体によって上記プレートが上記シャーシから遠ざかる方向に押し付けられている請求項２又は請求項３に記載した光学ディスク装置。
【請求項５】
上記がたつき防止機構のねじ体の先端又は上記プレートのねじ体との当接箇所に、ねじ体がプレートに押し付けられることによってプレートを第１及び第２の上記２軸の方向で位置規制するテーパ面が備わっている請求項４に記載した光学ディスク装置。
【請求項６】
上記付勢機構のばね体がねじりコイルばねでなり、そのねじりコイルばねの軸線周りの付勢作用が、上記位置決め機構の互いに嵌まり合っている突起と孔部とのがたつきを解消することに利用されている請求項２ないし請求項５のいずれか１項に記載した光学ディスク装置。
【請求項７】
上記シャーシが樹脂成形体でなり、上記プレートが板金製である請求項２ないし請求項７のいずれかに記載した光学ディスク装置。
【発明の詳細な説明】
【技術分野】
【０００１】
本発明は、光学ディスク装置、特に、ディスクの記録面に対する光軸の傾角調整やフォーカス調整を、ターンテーブルの回転駆動源としてのモータを設置しているプレートの傾角や高さを増減調節することによって行う形式の光学ディスク装置に関する。
【背景技術】
【０００２】
ＤＶＤなどを取り扱う光学ディスク装置は、ディスクをターンテーブルに保持させて回転させながら、光ピックアップをそのディスクの半径方向に走行させ、その光ピックアップによって構成される光学系の作用によってディスクの記録面を光学的に処理するという工程が行われる。このような光学ディスク装置では、光ピックアップがトラバースシャーシと通称されているシャーシに取り付けられているのに対し、ターンテーブルの回転駆動源としてブラシレスモータが用いられていることが多い。
【０００３】
そして、光学ディスク装置によるディスクの記録面に対する処理性能は、その記録面に対する上記光学系の光軸の傾角やフォーカス度に大きく依存しており、それらの傾角やフォーカス度の精度の良否によってモニター画像品質などが影響を受ける。そのため、光学ディスク装置では、上記光学系の光軸の傾角やフォーカス度を調整した後、その調整精度を維持することが不可欠になっている。
【０００４】
従来、光学系の光軸の傾角やフォーカス度の調整を行うための手段として、光ピックアップの傾角や高さを増減調節する方法（図１１〜図１３に示した光学ディスク装置参照）や、スピンドルモータに直結されたターンテーブルのディスク載置面の傾角や高さを増減調節する方法（たとえば、特許文献１、特許文献２参照）が行われていた。
【０００５】
光ピックアップの傾角や高さを増減調節する方法を採用した従来の光学ディスク装置を図１１に概略平面図で示してあり、図１２には同光学ディスクの概略側面図、図１３には同光学ディスクの概略正面図をそれぞれ示してある。この光学ディスク装置では、シャーシ１の左右２箇所に振り分けて取り付けられているガイドシャフト２と倣いレール３とによって光ピックアップ４を走行可能に支持させてあると共に、ガイドシャフト２などが取り付けられているものと同じシャーシ１にスピンドルモータ５を設置し、そのスピンドルモータ５の回転軸にターンテーブル６を直結してある。そして、ターンテーブル６のディスク載置面６ａに保持させたディスクＤの記録面を、図示していないモータによってそのディスクＤの半径方向Ｆに走行駆動される上記光ピックアップ４の作用によって処理するようになっている。
【０００６】
この光学ディスク装置において、光学系の光軸の傾角やフォーカス度の調整を行うときには、ガイドシャフト２をシャーシ１に取り付けることに用いられている前後の頭付きねじＭ１，Ｍ２や、倣いレール３をシャーシ１に取り付けることに用いられている前後の頭付きねじＳ１，Ｓ２と、それら４本の頭付きねじＭ１，Ｍ２，Ｓ１，Ｓ２にそれぞれ付設されているコイルばねＭ１’，Ｍ２’，Ｓ１’，Ｓ２’（Ｓ２’は図に現れていない）とが利用される。たとえば、頭付きねじＭ１，Ｍ２を回転させてガイドシャフト２の前後の各端部を同時に上下させると、ガイドシャフト２に支えられている光ピックアップ４が倣いレール３を中心として上下に傾動するので、このことを利用して縦方向に延びるＹ軸周りでの傾角調整、すなわち図１３に矢印Ｔで示したタンジェンシャル方向でのチルト調整が行われる。また、後側２箇所の頭付きねじＳ２，Ｍ２を回転させてガイドシャフト２及び倣いレール３の各後端部を同時に上下させると、ガイドシャフト２や倣いレール３に支えられている光ピックアップ４が、前側２箇所の頭付きねじＳ１，Ｍ１によるガイドシャフト２や倣いレール３の取付け箇所を通るＸ軸周りでの傾角調整、すなわち図１２に矢印Ｒで示したラジアル方向でのチルト調整が行われる。さらに、４箇所の頭付きねじＭ１，Ｍ２，Ｓ１，Ｓ２を回転させてガイドシャフト２及び倣いレール３の前後の各端部を同時に上下させると、ガイドシャフト２や倣いレール３に支えられている光ピックアップ４が上下に変位して高さ調整、すなわち図１２に符号Ｈで示したフォーカス方向での調整（フォーカス調整）が行われる。
【０００７】
一方、特許文献１や特許文献２には、ターンテーブルのディスク載置面の傾角や高さを増減調節する方法を採用した光学ディスク装置が示されている。このうち、特許文献１のディスク装置は、光ピックアップが取り付けられているトラバースシャーシの下側に、スピンドルモータを設置した取付け板を位置決めして配備し、その取付け板の下側にさらに高さ調整板を配備すると共に、取付け板と高さ調整ビスとを圧縮スプリングが付設された角度調整ビスにより連結してあると共に、取付け板とトラバースシャーシとを高さ調整ビスにより連結してある。また、特許文献２には、傾角調整に利用されるばね材として単一の一体型板ばねを用いた傾角調整機構が開示されている。
【特許文献１】特開２００４−３１０９４６号公報
【特許文献２】特開２００４−３０７２２号公報
【発明の開示】
【発明が解決しようとする課題】
【０００８】
しかしながら、図１１〜図１３を参照して説明した光学ディスク装置では、４箇所の頭付きねじＭ１，Ｍ２，Ｓ１，Ｓ２やそれらに付設されたコイルばねＭ１’，Ｍ２’，Ｓ１’，Ｓ２’の必要数が多いという問題がある。これと同様の問題は、特許文献１によって提案されているディスク装置にも存在している。一方、特許文献２によって提案されている傾角調整装置は、一体型板ばねを１つだけ用いているものではあるけれども、その一体型板ばねの形状が複雑なために組立性やコストが高くつくという問題がある。
【０００９】
さらに、図１１〜図１３を参照して説明した光学ディスク装置では、傾角調整や高さ調整が、ねじ孔に噛み合っている４箇所の頭付きねじＭ１，Ｍ２，Ｓ１，Ｓ２のいずれかのねじ込み量を加減することによって行われる。そして、従来の光学ディスク装置では、４箇所の頭付きねじＭ１，Ｍ２，Ｓ１，Ｓ２が、シャーシ１に形成されているねじ挿通孔に挿通されていて、それらの頭付きねじＭ１，Ｍ２，Ｓ１，Ｓ２に嵌合されているコイルばねＭ１’，Ｍ２’，Ｓ１’，Ｓ２’の付勢によってガイドシャフト２や倣いレール３がシャーシ１から浮き上がった位置で支えられていることにより、スピンドルモータ５の回転やディスクＤの偏荷重などに起因する振動の影響がコイルばねＭ１’，Ｍ２’，Ｓ１’，Ｓ２’の付勢力を凌ぐ程度に達すると、ガイドシャフト２や倣いレール３がコイルばねＭ１’，Ｍ２’，Ｓ１’，Ｓ２’を伸縮させて初期の調整精度が保たれなくなるおそれがあった。併せて、ねじ孔と頭付きねじとの噛合い箇所に存在している不可避的クリアランスの大きさが、スピンドルモータ５の回転やディスクＤの偏荷重などに起因する振動の影響を受けて変動し、初期の調整精度が保たれなくなるというおそれもあった。
【００１０】
本発明は、以上の状況の下でなされたものであり、光学系の光軸の傾角調整やフォーカス調整を行うための手段として、ターンテーブルのディスク載置面の傾角や高さを増減調節する方法を採用するということを基本として、傾角調整やフォーカス度の調整を行うことに用いられる頭付きねじやばね体の必要数を削減することができるだけでなく、それらの調整精度を初期調整後にも正確に維持することのできる光学ディスク装置を提供することを目的とする。
【００１１】
また、本発明は、光ピックアップが取り付けられているシャーシとモータが設置されてるプレートとを互いに直交する２軸方向で位置決めするための位置決め機構のがたつきを解消して初期の光学性能を維持させることのできる光学ディスク装置を提供することを目的とする。
【課題を解決するための手段】
【００１２】
本発明に係る光学ディスク装置は、ディスクが配備されるターンテーブルの回転駆動源としてのモータが設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾き及び高さを増減調節するための傾角高さ調節機能を有している。
【００１３】
そして、上記プレート支持手段が、突起と孔部とを備えてその孔部に上記突起が嵌まり込むことによって、上記シャーシとプレートとを水平で互いに直交する第１及び第２の２軸の方向で位置決めするための位置決め機構と、複数箇所で上記シャーシのねじ挿通孔に挿通されて上記プレートのねじ孔にねじ込まれた複数個の頭付きねじを備える調整ねじ機構と、上記プレートとシャーシとの相互間に介在されて上記プレートを上記シャーシから遠ざかる第３軸の方向に弾発付勢することによりそのプレートをそれぞれの上記頭付きねじの頭部に係止させる単一のばね体でなる付勢機構と、上記シャーシのねじ孔にねじ込まれて上記プレートに突き当てられることによりそのプレートの突当り箇所を当該ねじ孔から遠ざかる方向に押し付けるねじ体を備えるがたつき防止機構と、を有している。
【００１４】
この発明によると、位置決め機構によってシャーシとプレートとが水平で互いに直交する第１及び第２の２軸方向で位置決めされるほか、傾角調整や高さ調整に際して調整ねじ機構のそれぞれの頭付きねじと共働する付勢機構が、単一のばね体によって構成されているので、傾角調整や高さ調整に必要なばね体の必要数が必要最少限度に抑えられる。その上、がたつき防止機構が、プレートのねじ孔とそのねじ孔にねじ込まれている頭付きねじとの噛合い箇所に存在する不可避的クリアランスを一定に保つように作用するので、そのようなクリアランスの影響で初期調整後に傾角や高さが変動するという事態が抑制されて初期の光学性能が維持されるようになる。
【００１５】
本発明では、上記がたつき防止機構のねじ体が、上記調整ねじ機構の頭付きねじの近傍箇所でその頭付きねじと平行に配備されているという構成、上記がたつき防止機構のねじ体によって上記プレートが上記シャーシから遠ざかる方向に押し付けられているという構成を採用することが可能であり、これらの各発明によれば、プレートのねじ孔とそのねじ孔にねじ込まれている頭付きねじとの噛合い箇所での軸線方向でのがたつきを消失させることが可能である。
【００１６】
本発明では、上記付勢機構のばね体がねじりコイルばねでなり、そのねじりコイルばねの軸線周りの付勢作用が、上記位置決め機構の互いに嵌まり合っている突起と孔部とのがたつきを解消することに利用されている、という構成を採用することができる。この発明によれば、傾角調整や高さ調整に際して調整ねじ機構のそれぞれの頭付きねじと共働する付勢機構の単一のばね体が、シャーシとプレートとのがたつきを防ぐことにも役立つ。
【００１７】
本発明では、上記シャーシが樹脂成形体でなり、上記プレートが板金製である、という構成を採用することができる。これによれば、調整ねじ機構の頭付きねじをねじ込むねじ孔が板金製のプレートに形成されるために、それらの頭付きねじのねじ込み箇所がルーズになって傾角及び高さ調整の効果が事後的に消失するというおそれがなくなることと共に、シャーシを樹脂で安価に成形することができるという利点がある。
【００１８】
本発明に係る光学ディスク装置は、ディスクが配備されるターンテーブルの回転駆動源としてのモータが設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾角及び高さを増減調節するための傾角高さ調節機能を有する光学ディスク装置において、上記シャーシに樹脂成形体が用いられ、上記プレートに板金が用いられ、上記プレート支持手段が、突起と孔部とを備え、その孔部に上記突起が嵌まり込むことによって上記シャーシとプレートとを水平で互いに直交する第１及び第２の２軸の方向で位置決めするための位置決め機構と、複数箇所で上記シャーシのねじ挿通孔に挿通されて上記プレートのねじ孔にねじ込まれた複数個の頭付きねじを備える調整ねじ機構と、上記プレートとシャーシとの相互間に介在されて上記プレートを上記シャーシから遠ざかる第３軸の方向に弾発付勢することによりそのプレートをそれぞれの上記頭付きねじの頭部に係止させる単一のばね体でなる付勢機構と、上記シャーシのねじ孔にねじ込まれて上記プレートに突き当てられることによりそのプレートの突当り箇所を当該ねじ孔から遠ざかる方向に押し付けるねじ体を備えるがたつき防止機構と、を有し、上記がたつき防止機構のねじ体が、上記調整ねじ機構の頭付きねじの近傍箇所でその頭付きねじと平行に配備されていることによって上記プレートが上記シャーシから遠ざかる方向に押し付けられ、上記付勢機構のばね体がねじりコイルばねでなり、そのねじりコイルばねの軸線周りの付勢作用が、上記位置決め機構の互いに嵌まり合っている突起と孔部とのがたつきを解消することに利用されている、という構成を採用することによっていっそう具体化される。この発明の作用などについては後述する実施形態を参照して詳細に説明する。
【発明の効果】
【００１９】
以上のように、本発明によれば、光学系の光軸の傾角やフォーカス度を、ターンテーブルのディスク載置面の傾角や高さを増減調節することによって調整することが可能である。そして、本発明によれば、傾角調整やフォーカス調整を行うことに用いられる頭付きねじやばね体の必要数が従来例に比べて削減されてそれだけ組立行程が簡略されるために光学ディスク装置の量産化に適合するという効果が捜査される。特に、本発明では、シャーシのねじ孔にねじ込まれて上記プレートに突き当てられることによりそのプレートの突当り箇所を当該ねじ孔から遠ざかる方向に押し付けるねじ体を備えるがたつき防止機構の作用により、調整ねじ機構の頭付きねじとねじ孔の噛合い箇所でのがたつきが消失されるために、初期調整後に傾角や高さが変動するという事態が抑制されて初期の光学性能が維持されるようになるという効果が奏される。
【発明を実施するための最良の形態】
【００２０】
図１は本発明に係る光学ディスク装置を斜め上から見て示した概略斜視図、図２は同装置の部分概略平面図、図３は同装置を裏面側から見て示した透視的概略斜視図、図４は同装置を裏面側から見て示した透視的部分概略平面図、図５はプレート５０とがたつき防止機構９１との位置関係を例示した概略斜視図、図６は同装置の要部の一部破断正面図、図７は図５のＶＩＩ−ＶＩＩ線に沿う部分の拡大断面図である。
【００２１】
図１〜図６において、矩形のシャーシ１０はトラバースシャーシと通称されているものであって、樹脂成形体でなる。そして、このシャーシ１０の開口部１１に配備されている光ピックアップ２０が、シャーシ１０に固着されているガイドシャフト３０と上記開口部１１の１つの辺部によって形成された倣いレール４０とにより案内されて走行可能となっている。
【００２２】
シャーシ１０の前部中央に図１又は図６によって示した凹入部１２が備わり、その凹入部１２にブラシレスモータ（以下「モータ」という）６０が設置された板金製のプレート５０を収容させることによって、そのプレート５０をシャーシ１０に対峙させてあると共に、プレート５０の周囲３箇所に具備されている水平な突片部５１，５１，５２がシャーシ１０の上側に配備されている。モータ６０はターンテーブル６１の回転駆動源に相当していて、その回転軸にターンテーブル６１を直結することによって、モータ６０の回転軸線をターンテーブル６１と同心位置に配備してある。
【００２３】
プレート５０はプレート支持手段によってシャーシ１０に支持されている。このプレート支持手段には、位置決め機構７１と、調整ねじ機構７５と、付勢機構８１と、が含まれている。
【００２４】
このうち、位置決め機構７１は、図３に示した突起７２と孔部７３とを備え、その孔部７３に突起７２が嵌まり込むことによってシャーシ１０とプレート５０とを互いに直交する水平な２軸方向でのみ位置決めする作用を発揮し、上下方向ではシャーシ１０に対するプレート５０の変位を許容する。この実施形態では、突起７２を樹脂成形体でなるシャーシ１０に一体に成形してあり、孔部７３を板金製のプレート５０の左右の各突片部５１，５１に形成してある。
【００２５】
調整ねじ機構７５は、図２、図４、図５又は図６のように、シャーシ１０に対峙している上記した３箇所の水平な突片部５１，５１，５２にそれぞれ備わっている。そして、左右の突片部５１，５１に具備されている調整ねじ機構７５は、図６のように、シャーシ１０のねじ挿通孔１３に挿通されて突片部５１，５１のねじ孔５３にねじ込まれた第１頭付きねじ７６を備えているのに対し、他の１つの突片部５２に具備されている調整ねじ機構７５は、図３又は図５などによって類推できるように、シャーシ１０のねじ挿通孔に挿通されて突片部５２のねじ孔にねじ込まれた第２頭付きねじ７７を備えている。
【００２６】
付勢機構８１は、プレート５０とシャーシ１０との相互間に介在された単一のばね体によって構成されていて、この実施形態ではそのばね体がねじりコイルばね８２でなる。また、ねじりコイルばね８２は、そのコイル部がモータ６０の回転軸線と同心位置に圧縮状態で配備されていると共に、その一側の線部端末８３がシャーシ１０に設けられている突起状のばね受部１４に係止され、かつ、その他側の線部端末８４がプレート５０に形成された孔部でなるばね受部５４に差し込まれて係止されている。そして、このねじりコイルばね８２のコイル部の付勢作用により、プレート５０がシャーシ１０から遠ざかる方向に弾発付勢されてそのプレート５０を第１及び第２のそれぞれの頭付きねじ７６，７７の頭部７６ａ，７７ａに係止されていると共に、そのねじりコイルばね８２の軸線周りの付勢作用が、上記した位置決め機構７１の互いに嵌まり合っている突起７２と孔部７３とのがたつきを解消することに利用されている。すなわち、ねじりコイルばね８２の軸線周りの付勢作用によってプレート５０側の孔部７３の孔壁面がシャーシ１０側の突起７２の外周面に押し付けられて上記両者のがたつきが解消されている。
【００２７】
ところで、この光学ディスク装置においては、図２及び図４に示した互いに直交する水平なＸ軸とＹ軸とが想定されていて、それらのＸ軸とＹ軸とは、いずれも上記モータ６０の回転軸線に交差している。したがって、Ｘ軸とＹ軸との交点Ｐがモータ６０の回転軸線上に位置している。そして、光ピックアップ２０が前後方向に走行駆動されたときには、その対物レンズ２１がＹ軸に平行に移動する。また、２箇所の第１頭付きねじ７６，７６が、Ｘ軸とＹ軸との交点Ｐに対してＸ軸方向に並び、かつ、Ｙ軸を挟む両側の対称位置にそれぞれ配備されているのに対し、第２頭付きねじ７７が、交点Ｐに対してＹ軸方向に並び、かつＸ軸を挟んで光ピックアップ２０の配備箇所の反対側に配備されている。また、２箇所の位置決め機構７１，７１による位置決め作用は、水平なＸ軸及びＹ軸の２軸方向（縦横方向）に対して行われ、さらに、付勢機構８１のねじりコイルばね８２のコイル部による付勢力は、上記交点Ｐを通過してＸ軸及びＹ軸に直交するＺ軸（高さ方向）に沿う方向に作用する。
【００２８】
以上のように構成されている光学ディスク装置によると、プレート支持手段に、プレート５０の縦横方向での傾き及び高さを増減調節するための傾角高さ調節機能が付与されている。次に、このプレート支持手段に付与されている傾角高さ調節機能を利用してディスクＤの記録面に対する光軸の傾角調整（チルト調整）や高さ調整（フォーカス調整）を行う手順の一例を説明する。
【００２９】
Ｙ軸周り（縦軸周り）の傾角調整（タンデンシャル方向でのチルト調整）は、左右２箇所の調整ねじ機構７５，７５を利用することにより行われる。具体的には、左右の第１頭付きねじ７６，７６を回転させることによりＸ軸とＹ軸との交点Ｐを中心にしてプレート５０を傾動させてその傾角を調節することによって行われる。この場合、左右の突片部５１，５１のねじ孔５３，５３が同一ピッチで同一の螺旋方向のねじ溝を有している事例では、左右の第１頭付きねじ７６，７６を互いに逆向きに回転させればよい。また、Ｘ軸周り（横軸周り）での傾角調整（ラジアル方向でのチルト調整）は、１箇所の調整ねじ機構７５を利用することにより行われる。具体的には、第２頭付きねじ７７を回転させることによりその傾角を調節することによって行われる。さらに高さ調整（フォーカス調整）は、３箇所の調整ねじ機構７５，７５，７６の第１頭付きねじ７６，７６と第２頭付きねじ７７とを同時に回転させることによって行われる。
【００３０】
この実施形態によれば、傾角調整や高さ調整に際して調整ねじ機構７５の第１及び第２のそれぞれの頭付きねじ７６，７７と共働する付勢機構８１が単一のねじりコイルばね８２によって構成されているので、傾角調整や高さ調整に必要なばね体の必要数が従来例に比べて削減されるだけでなく、第１頭付きねじ７６を回転させることによりプレート５０のＹ軸回りの傾角がＸ軸とＹ軸との交点Ｐを中心に増減調節され、しかも、Ｘ軸とＹ軸との交点Ｐがモータ６０の回転軸線上に位置しているために、特に、Ｙ軸周りでの傾角調整を行ったときのディスクＤの中心位置のＸ軸方向でのずれ量が可及的少なくなり、併せて、ディスクＤの中心位置がＺ軸方向にずれなくなるので、そのことが、Ｙ軸周りの傾角調整による弊害を小さくすることに役立つ。
【００３１】
この実施形態では、プレート支持手段に、図３、図４、図５、図７に示したがたつき防止機構９１が追加されている。がたつき防止機構９１は、シャーシ１０の３箇所のねじ孔１５にねじ込まれてプレート５０の３つの突片部５１，５１，５２に突き当てられることによりその突当り箇所を当該ねじ孔１５から遠ざかる方向に押し付けるねじ体９２によって構成されている。図７によって判るように、この構成を採用しておけば、ねじ体９２によってプレート５０がシャーシ１０から遠ざかる方向にＺ軸方向に突き上げられるために、頭付きねじ７６（他の頭付きねじ７７についても同様）とその頭付きねじ７６がねじ込まれている突片部５１のねじ孔５３との間の軸線方向でのがたつきがなくなる。また、頭付きねじ７６がシャーシ１０のねじ挿通孔１３に挿通されていて、ねじりコイルばね８２（図６など参照）によって突片部５１が支えられているとしても、モータ６０の回転やディスクＤの偏荷重などに起因する振動の影響がねじりコイルばね８２の付勢力を凌ぐ程度に達したときにプレート５０がその影響を受けて初期の調整精度が保たれなくなる、という事態が起こり得ない。また、ねじ孔５３と頭付きねじ７６との噛合い箇所に生じている不可避的クリアランスの影響で頭付きねじ７６が緩み、初期調整精度が事後的に低下するという事態も起こり得ない。したがって、このがたつき防止機構９１を採用しておくことにより、当該光学ディスク装置の光学性能、ひいてはモニター画像品質が安定する。
【００３２】
以上説明した事例では、がたつき防止機構９１のねじ体９２を調整ねじ機構７５の頭付きねじ７６，７７と平行に配備してプレート５０の突片部５１の下面に下方から突き当てているものを説明したけれども、この点は、たとえば、図８に示したように、シャーシ１０の立上り部１６に形成したねじ孔１５にねじ体９２をねじ込んでプレート５０の突片部５１の端面に側方から突き当てておくことも可能である。この構成を採用した場合でも、モータ６０の回転やディスクＤの偏荷重などに起因する振動の影響がねじりコイルばね８２の付勢力を凌ぐ程度に達したときにプレート５０がその影響を受けて初期の調整精度が保たれなくなる、という事態が起こり得ない。また、頭付きねじ７６（他の頭付きねじ７７についても同様）とその頭付きねじ７６がねじ込まれている突片部５１のねじ孔５３との間の不可避的クリアランスの影響で頭付きねじ７６が緩むという事態が起こり得ない。その結果、初期調整精度が事後的に低下するという事態が抑制される。要するに、がたつき防止機構９１は、シャーシ１０とプレート５０との連結箇所でのがたつきを阻止することに役立つものであるので、そのがたつき防止機構９１のねじ体９２を、上記したＸ軸、Ｙ軸、Ｚ軸の３軸方向のいずれか、あるいは、それらの各軸に対する交差方向に配備してそのねじ体９２によってプレート５０を同方向に押圧するようにしておけばよい。
【００３３】
図９はがたつき防止機構９１の変形例を示している。同図のがたつき防止機構９１は、シャーシ１０のねじ孔１５にねじ込まれたねじ体９２の先端に先細り形状のテーパ面９２を具備させ、そのテーパ面９２ａを突片部５１に開設した孔部５５の孔縁に突き当てることにより、その突当り箇所をねじ孔１５から遠ざかる方向に押し付けることによってＺ軸方向のがたつきをなくしてあると共に、テーパ面９２ａによって発揮される心出し作用によってＸ軸方向及びＹ軸方向でも突片部５１の位置を規制させている。
【００３４】
また、図１０はがたつき防止機構９１の他の変形例を示している。同図のがたつき防止機構９１は、シャーシ１０のねじ孔１５にねじ込まれたねじ体９２の先端周囲を突片部５１に形成した上窄まり形状のテーパ面５６に突き当てることにより、その突当り箇所をねじ孔１５から遠ざかる方向に押し付けることによってＺ軸方向のがたつきをなくしてあると共に、テーパ面５６によって発揮される心出し作用によってＸ軸方向及びＹ軸方向でも突片部５１の位置を規制させている。この事例において、突片部５１のテーパ面５６に突き当てられるねじ体９２の先端は、テーパ面に形成しておいても、既存のねじの不完全ねじ部を利用しておいてもよい。
【００３５】
図９及び図１０を参照して説明した変形例に係るがたつき防止機構９１は、１つの頭付きねじ７６に対応して１箇所だけに設けておいても、他の頭付きねじ７７にも併せて設けておいてもよいが、好ましくは、３つの頭突きねじ７６，７７，７７のいずれか１つだけに対応して設けておくことが、Ｘ軸方向及びＹ軸方向での突片部５１ひいてはプレート５０の位置規制を行う上で有益である。
【図面の簡単な説明】
【００３６】
【図１】本発明に係る光学ディスク装置を斜め上から見て示した概略斜視図である。
【図２】同装置の部分概略平面図である。
【図３】同装置を裏面側から見て示した透視的概略斜視図である。
【図４】同装置を裏面側から見て示した透視的部分概略平面図である。
【図５】プレートとがたつき防止機構との位置関係を例示した概略斜視図である。
【図６】同装置の要部の一部破断正面図である。
【図７】図５のＶＩＩ−ＶＩＩ線に沿う部分の拡大断面図である。
【図８】がたつき防止機構の他の例を示した拡大断面図である。
【図９】図７のがたつき防止機構の変形例を示した拡大断面図である。
【図１０】図７のがたつき防止機構の他の変形例を示した拡大断面図である。
【図１１】従来の光学ディスク装置の概略平面図である。
【図１２】従来の光学ディスクの概略側面図である。
【図１３】従来の光学ディスクの概略正面図である。
【符号の説明】
【００３７】
Ｄ  ディスク
Ｘ  Ｘ軸（第１軸）
Ｙ  Ｙ軸（第２軸）
Ｚ  Ｚ軸（第３軸）
１０  シャーシ
１３  ねじ挿通孔
１５  シャーシのねじ孔
２０  光ピックアップ
５０  プレート
５３  プレートのねじ孔
６０  スピンドルモータ（モータ）
６１  ターンテーブル
７２  突起
７３  孔部
７１  位置決め機構
７６，７７  頭付きねじ
７５  調整ねじ機構
８１  付勢機構
８２  ねじりコイルばね（ばね体）
９１  がたつき防止機構
９２  ねじ体
【図１】
2007184056.tif 000003
【図２】
2007184056.tif 000004
【図３】
2007184056.tif 000005
【図４】
2007184056.tif 000006
【図５】
2007184056.tif 000007
【図６】
2007184056.tif 000008
【図７】
2007184056.tif 000009
【図８】
2007184056.tif 000010
【図９】
2007184056.tif 000011
【図１０】
2007184056.tif 000012
【図１１】
2007184056.tif 000013
【図１２】
2007184056.tif 000014
【図１３】
2007184056.tif 000015